(57)【特許請求の範囲】
【請求項１】
第１の材料によって作られた支持構造を有する計時器（１００）の外装要素（１０）であって、
当該外装要素は、さらに、温度変化に反応するデバイス（２００）を少なくとも１つ有し、
前記温度変化に反応するデバイス（２００）は、バインダー及び特定の温度で反応するように選ばれるサーモクロミックピグメントによって構成しているサーモクロミック層（１１）を有する少なくとも１つのサーモクロミック要素によって形成され、これによって、前記ピグメントは、前記特定の温度に到達したときに第１の色から第２の色へと遷移し、
前記サーモクロミック要素は、さらに、前記サーモクロミック層（１１）が堆積されたキャリア層（１３）と、及び紫外線に耐久性があり前記サーモクロミック層と前記キャリア層をカバーする保護層（１２）と、前記サーモクロミック層（１１）と前記キャリア層（１３）との間に配置された発光性の中間層（１６）と、を有し、
前記温度変化に反応するデバイス（２００）は、温度スケールを構成する複数のサーモクロミック要素を装備する温度センサーであり、
各サーモクロミック要素は、そのサーモクロミック要素に固有な特定の温度に反応する
ことを特徴とする外装要素。
【請求項２】
前記サーモクロミック層（１１）は、前記ピグメントと混合されアクリル樹脂、アクリルコポリマー及びポリウレタンのファミリーから選ばれるバインダーと、ポリカルボン酸塩タイプの分散剤と、ベンゾアートタイプの可塑剤と、グリコール又はエステルのファミリーから選ばれる溶剤とによって構成している硬質なラッカーである
ことを特徴とする請求項１に記載の外装要素。
【請求項３】
前記サーモクロミック層（１１）は、前記ピグメントと混合されるバインダーによって構成している軟質なラッカーであり、
前記バインダーは、シリコーン又はポリウレタンのファミリーから選ばれる
ことを特徴とする請求項１に記載の外装要素。
【請求項４】
前記サーモクロミック層（１１）は、アクリル樹脂、ポリウレタン又はシリコーンのファミリーから選ばれるバインダーと、ポリカルボン酸塩タイプの分散剤又は解膠剤と、スルホンアミドタイプの可塑剤かつ接着促進剤と、及びグリコール又はエステルのファミリーから選ばれる溶剤とによって構成しているインクである
ことを特徴とする請求項１に記載の外装要素。
【請求項５】
前記保護層（１２）は、サファイアガラス、ナノダイヤモンド又はグラフェンで充填されたアクリル酸ガラス、薄いナノダイヤモンド層、及びナノダイヤモンド又はグラフェンで充填されたアクリル系ラッカーからなる群から選ばれる
ことを特徴とする請求項１〜４のいずれかに記載の外装要素。
【請求項６】
前記保護層（１２）は、１０Ｗ・ｍ-1・Ｋ-1よりも大きい熱伝導度を有する
ことを特徴とする請求項１〜５のいずれかに記載の外装要素。
【請求項７】
前記キャリア層（１３）は、１００Ｗ・ｍ-1・Ｋ-1よりも大きい熱伝導度を有する
ことを特徴とする請求項２に記載の外装要素。
【請求項８】
前記キャリア層（１３）は、陽極処理されたアルミニウム、銅、金合金、銀合金、アルミニウム／炭化ケイ素の合金、薄い層状のナノダイヤモンド、薄い層状のグラファイト及びグラフェンからなる群から選ばれる材料によって作られている
ことを特徴とする請求項１に記載の外装要素。
【請求項９】
さらに、挿入体を形成するように様々な層が配置された基材（１４）を有する
ことを特徴とする請求項１〜８のいずれかに記載の外装要素。
【請求項１０】
前記サーモクロミック要素（１０）はすべて、同じ第１の色を有する
ことを特徴とする請求項１に記載の外装要素。
【請求項１１】
前記サーモクロミック要素（１０）はすべて、同じ第２の色を有する
ことを特徴とする請求項１に記載の外装要素。
【請求項１２】
前記サーモクロミック要素（１０）は、それらがすべて前記第１の色から前記第２の色へと遷移したときにそれらの第２の色によってグラデーションを形成することができる
ことを特徴とする請求項１に記載の外装要素。
【請求項１３】
少なくとも１つのサーモクロミック要素（１０）を配置することができるように少なくとも１つの凹部（１５）が形成されている
ことを特徴とする請求項１〜１２のいずれかに記載の外装要素。
【請求項１４】
裏部（１０６）と風防（１０８）によって閉じられるミドル部（１０４）によって形成されるケース（１０２）を有する着用可能な物であって、
さらに、ストラップ（１１０）を有し、
さらに、ミドル部、風防、ベゼル、表盤、ストラップ及びクラスプからなる群から選ばれる請求項１〜１３のいずれかに記載の外装要素を少なくとも１つ有する
ことを特徴とする着用可能な物。
【発明の詳細な説明】
【技術分野】
【０００１】
本発明は、バインダーと、及びサーモクロミックピグメントとによって構成しているサーモクロミック層を有するサーモクロミック要素に関する。このサーモクロミックピグメントは、特定の温度で反応し、その特定の温度に到達すると第１の色から第２の色に遷移するように選ばれる。
【背景技術】
【０００２】
温度センサータイプのアプリケーション又は純粋に装飾のためのアプリケーションのためにサーモクロミックピグメントを用いるストラップのような着用可能な物が知られている。用いられる技術の１つは、ロイコ技術である。現在、ロイコシステムの機構は、周知であり、かつ／又は、インク及び／又は塗料において広く用いられているが、塊状のプラスチックにおいても広く用いられている。ピグメントは、実際、以下の３つの化合物を含むマイクロカプセルである：
すなわち、一般的にはスピロノラクトン級から選ばれるｐＨ（イオン発色性）の変化に敏感な染料と、一般的には、ビスフェノールＡである、顕色剤としてはたらく弱酸と、及び低融点級の脂肪酸、アミド又はアルコールから選ばれる共溶媒とである。
【０００３】
有色の形態から無色の形態への染料の遷移のしきい値を決めるのは、共溶媒の融点である。
【０００４】
このシステムの１つの課題は、紫外線（ＵＶ）放射に対する感受性が高いことである。このことによって、数十時間よりも長い時間にわたって中断なく紫外線放射に露出されると、ピグメントが速く分解してしまう。
【０００５】
この課題を解決するために、紫外線下において染料の劣化を遅くする添加剤を用いることが考えられている。チタン、セリウム又は亜鉛の酸化物をベースとする紫外線吸収剤のような添加剤が知られており、このような既知の吸収剤を塗料やサーモクロミックインクの組成において用いることができると考えられている。
【０００６】
しかし、このような紫外線吸収剤には、屈折率が高く、したがって、光散乱係数が高く、これによって、系が不透明になるという課題がある。
【０００７】
既知の変種の１つとして、サブミクロンサイズの粒子を用いてその粒子の分散を良くして光学的品質を改善させることができるものがある。
【０００８】
別の代替形態として、ヒドロキシベンゾフェノンやリグニンのようなフェノール酸タイプの有機粒子を用いるものがある。
【０００９】
これらの添加剤をすべて使用することは、組成を複雑にしてしまい、また、機能的であり美観が良く耐久性が良いという良好な結果を達成することを妨害してしまう。
【００１０】
最後の選択肢は、スピン転移錯体によって作られているナノ粒子を用いるものである。このようなナノ粒子のサーモクロミック効果は、米国特許出願ＵＳ２００８／０３１１４０１に記載されている。これらは、さらに、紫外線下における安定性が良好である。しかし、特定のナノ粒子には、用いられる錯体に依存して、比較的大きなメモリー効果があるという課題がある。このことによって、温度センサーのアプリケーションにおいて、信頼性が高い温度のインジケーションを達成することが妨げられている。
【発明の概要】
【発明が解決しようとする課題】
【００１１】
本発明は、読みやすく信頼性が高く温度の変化のインジケーションを行うことができる着用可能な物を提供することによって、従来技術の前記課題を緩和する外装要素に関する。
【課題を解決するための手段】
【００１２】
このために、本発明は、バインダー及びサーモクロミックピグメントによって構成しているサーモクロミック層を有するサーモクロミック要素を伴い、このサーモクロミックピグメントは、特定の温度で反応して、その特定の温度に到達すると第１の色から第２の色へと遷移する。このサーモクロミック要素は、さらに、サーモクロミック層が上に配置されるキャリア層と、及び紫外線に耐久性があり前記サーモクロミック層と前記キャリア層をカバーする保護層とを有する。
【００１３】
本発明によって、保護層によって紫外線から保護されつつキャリア層を介して温度の変化に対して反応性が良好であるようなサーモクロミック層を得ることができる。
【００１４】
第１の好ましい実施形態において、前記キャリア層は、１００Ｗ・ｍ-1・Ｋ-1よりも大きい熱伝導度を有する。この層によって、温度が変わるときの変色において良好な反応性を達成することができる。
【００１５】
第２の好ましい実施形態において、前記サーモクロミック層は、ピグメントと混合され、アクリル樹脂、アクリルコポリマー又はポリウレタンのファミリーから選ばれるバインダーと、ポリカルボン酸塩タイプの分散剤と、ベンゾアートタイプの可塑剤と、及びグリコール又はエステルのファミリーから選ばれる溶剤とによって構成している硬質なラッカーである。
【００１６】
第３の好ましい実施形態において、前記サーモクロミック層は、ピグメントと混合されるバインダーによって構成している軟質なラッカーであり、前記バインダーは、シリコーン又はポリウレタンのファミリーから選ばれる。
【００１７】
第４の好ましい実施形態において、前記サーモクロミック層は、アクリル樹脂、ポリウレタン又はシリコーンのファミリーから選ばれるバインダーと、ポリカルボン酸塩タイプの分散剤又は解膠剤と、スルホンアミドタイプの可塑剤かつ接着促進剤と、及びグリコール又はエステルのファミリーから選ばれる溶剤とによって構成しているインクである。
【００１８】
第５の好ましい実施形態において、前記保護層は、サファイア、ラッカーの形態のナノダイヤモンド又はグラフェン、特に、薄いナノダイヤモンド層、で充填されたアクリル樹脂、及びナノダイヤモンド及び／又はグラフェンのフィラーで充填されたアクリル系ラッカーからなる群から選ばれる。
【００１９】
別の好ましい実施形態において、前記保護層は、１０Ｗ・ｍ-1・Ｋ-1よりも大きい熱伝導度を有する。
【００２０】
別の好ましい実施形態において、前記キャリア層は、（薄い層、シート又は塊状の形態である）陽極処理されたアルミニウム、銅、金合金、銀合金、アルミニウム／炭化ケイ素の合金、薄い層状のナノダイヤモンド、薄い層状のグラファイト及びグラフェンからなる群から選ばれる材料によって作られている。
【００２１】
別の好ましい実施形態において、前記サーモクロミック要素は、さらに、挿入体を形成するように様々な層が配置された基材を有する。
【００２２】
別の好ましい実施形態において、前記サーモクロミック要素は、さらに、前記サーモクロミック層の下に配置された中間層を少なくとも１つ有する。
【００２３】
本発明は、さらに、第１の材料によって作られた支持構造を有する着用可能な物の外装要素に関する。前記外装要素は、さらに、温度変化に反応するデバイスを少なくとも１つ有する。温度変化に反応するデバイスは、本発明に係るサーモクロミック要素の少なくとも１つによって形成される。
【００２４】
別の好ましい実施形態において、前記温度変化に反応するデバイスは、複数のサーモクロミック要素を装備する温度センサーであり、各サーモクロミック要素は、そのサーモクロミック要素に固有な特定の温度に反応する。
【００２５】
別の好ましい実施形態において、前記サーモクロミック要素はすべて、同じ第１の色を有する。
【００２６】
別の好ましい実施形態において、前記サーモクロミック要素はすべて、同じ第２の色を有する。
【００２７】
別の好ましい実施形態において、前記サーモクロミック要素は、それらがすべて前記第１の色から前記第２の色へと遷移したときにそれらの第２の色によってグラデーションを形成することができる。
【００２８】
別の好ましい実施形態において、前記外装要素は、少なくとも１つのサーモクロミック要素を配置することができるように少なくとも１つの凹部が形成されている。
【００２９】
本発明は、裏部と風防によって閉じられるミドル部によって形成されるケースを有する着用可能な物に関し、この着用可能な物は、さらに、ストラップを有し、さらに、ミドル部、風防、ベゼル、表盤、ストラップ及びクラスプからなる群から選ばれる本発明に係る外装要素を少なくとも１つ有する。
【００３０】
例として示している図面を参照しながら以下の説明を読むことによって、このような外装要素の利点が明確になるであろう。
【図面の簡単な説明】
【００３１】
【図１】本発明に係る計時器を概略的に示している。
【図２】本発明に係る計時器を概略的に示している。
【図３】本発明に係るサーモクロミック要素を概略的に示している。
【図４】本発明に係るサーモクロミック要素を概略的に示している。
【図５】本発明に係る第１の実装例を概略的に示している。
【図６】本発明に係る第２の実装例を概略的に示している。
【図７】本発明に係るサーモクロミック要素の第１の実装例の変種を概略的に示している。
【図８】本発明に係るサーモクロミック要素の第２の実装例の変種を概略的に示している。
【図９】本発明に係るサーモクロミック要素を用いる温度センサーとその変種を示している。
【図１０】本発明に係るサーモクロミック要素を用いる温度センサーとその変種を示している。
【図１１】本発明に係るサーモクロミック要素を用いる温度センサーとその変種を示している。
【図１２】本発明に係るサーモクロミック要素を用いる温度センサーとその変種を示している。
【図１３】本発明に係るサーモクロミック要素を用いる温度センサーとその変種を示している。
【図１４】本発明に係るサーモクロミック要素を用いる温度センサーとその変種を示している。
【図１５】本発明に係るサーモクロミック要素を用いる温度センサーとその変種を示している。
【図１６】本発明に係るサーモクロミック要素を用いる温度センサーとその変種を示している。
【発明を実施するための形態】
【００３２】
本発明は、計時器又は腕時計１００の外装要素１に関する。
【００３３】
図１及び２に示す計時器１００は、例えば、腕時計であり、ケース１０２を有する。このケースは、ミドル部１０４によって形成され、これは、裏部１０６と風防１０８によって、又はさらにはベゼル１１４によって、閉じられる。計時器は、表盤１０９とディスプレー手段１０９ａを有することができる。計時器は、さらに、制御手段１１６を有する。計時器は、さらに、ストラップ１１０を有する。このストラップ１１０は、２対のホーン１１２を介してミドル部に固定される。ストラップは、２つの長さ部分によって構成していることができる。各長さ部分は、１対のホーンによって固定されており、クラスプによって他方の長さ部分に接続される。
【００３４】
外装要素は、例えば、計時器のストラップ１１０、ミドル部１０４、ベゼル１１４、風防１０８、ボタン又は竜頭１１６、又は表盤１０９であることができる。外装要素は、金属、セラミックス又はプラスチックによって作ることができる。
【００３５】
外装要素１は、サーモクロミック要素１０を支えるように構成している。このようなサーモクロミック要素１０は、温度に応じて色を変えることができる要素である。サーモクロミック要素１０は、一般的には、色が変わるのが見えるように温度に反応するサーモクロミックピグメントを含む。
【００３６】
好ましいことに、本発明によると、サーモクロミック要素１０は、少なくとも３つの異なる構成要素によって構成している。これらの構成要素は、図３及び４に示すように、層の形態であり、互いの上に重なっている。これらの少なくとも３つの構成要素は、寿命が長い非常に効率的なサーモクロミック要素を得るために用いられる。
【００３７】
第１の構成要素は、構成要素Ａと呼ぶ構成要素であり、サーモクロミック層１１の形態であるという特徴がある。このサーモクロミック層は、ロイコピグメントと呼ばれるピグメントのようなサーモクロミックピグメントによって作られている。すなわち、以下のものを含有するマイクロカプセルによって作られている：
すなわち、一般的にはスピロノラクトン級から選ばれる、ｐＨ（イオン発色性）の変化に感受性がある染料と、一般的にはビスフェノールＡである、顕色剤としてはたらく弱酸と、及び一般的にはアミド又はアルコールである、融点が低い級の脂肪酸から選ばれる共溶媒とである。
【００３８】
また、スピン転移技術を用いるピグメントを用いることもできる。
【００３９】
第２の構成要素は、構成要素Ｂと呼ばれる構成要素であり、保護層１２であるという特徴がある。このような保護層１２は、少なくとも紫外線に耐久性がある層によって構成している。この層は、光透過性があり、ナノダイヤモンド及び／又はグラフェンで充填されたアクリル樹脂によって作られ光透過性が良好であり熱伝導度が向上している層、又は薄いナノダイヤモンド層であることができる。
【００４０】
好ましくは、この構成要素Ｂの層は、１０Ｗ・ｍ-1・Ｋ-1よりも大きい熱伝導度を有する。
【００４１】
この構成要素Ｂの層の厚みは、１０μｍ〜０．１ｍｍの範囲にわたる。
【００４２】
この有利な構成によって、構成要素Ａ、すなわち、サーモクロミックピグメントを含む構成要素、を紫外線から保護することができ、したがって、サーモクロミック要素の寿命を長くすることができる。構成要素Ｂの層がある程度まで紫外線を吸収するからである。
【００４３】
構成要素Ｃと呼ぶ第３の構成要素は、１００Ｗ・ｍ-1・Ｋ-1よりも大きい熱伝導度を有するキャリア層１３の形態である。そして、この構成要素によって形成されるキャリア層１３が外装要素１と、サーモクロミックピグメントを含む構成要素Ａの層１１の間に堆積する。構成要素Ａは、構成要素Ｂによってカバーされる。なお、この層Ｃによって形成されるフィルムは、構成要素Ａ及びＢによって形成されるフィルムの面積よりもわずかに大きい面積を有する。これによって、伝導層が、外装媒体と直接接触し、可能な限り高い効率で、いずれの温度変化を見えるようにすることを確実にする。
【００４４】
この構成要素Ｃは、外装要素の材料に依存して、光透過性であったり非光透過性であったりするように選ぶことができる。特に、風防のような外装要素、すなわち、光透過性である外装要素、においては、光透過性である構成要素Ｃを用いる。
【００４５】
この構成要素Ｃには、陽極処理されたアルミニウム、金、銀及びこれらのいずれかの合金、及びゾルゲル法を用いて堆積することなどによって作るナノダイヤモンドの薄い層からなる群から選ばれる材料が用いられる。
【００４６】
この構成要素Ｃの層１３の厚みは、１０μｍ〜５ｍｍの範囲で変わる。これによって、比較的大きな量のエネルギーを伝達すること、及び／又はこのエネルギーを比較的急速に伝達すること、が可能になる。
【００４７】
この層１３は、構成要素Ｃの材料で作られており、外装要素からの熱を熱伝導するように用いられ、したがって、層Ａのサーモクロミック要素の変色の反応性を良好にすることができる。
【００４８】
第１の実装例において、サーモクロミック要素１０は、層を重ねることによって作られる。このようにするために、対応する構成要素Ａ、Ｂ及びＣの様々な層１１、１２、１３は、１０〜１００μｍの厚みの層の形態であり、そして、サーモクロミック要素は、図５に示すようにスクリーンプリントされたプリントの形態である。
【００４９】
これに関連して、構成要素Ａの層は、サーモクロミックピグメントを含む層であり、スプレー、ディップコーティング、スクリーンプリント又はスタンプを用いて、均一に堆積する層であることができる。
【００５０】
構成要素Ｂの層は、保護層であり、均一な層を得るために、スクリーンプリント法を用いて、スタンプを用いて、又はスプレー又はディップコーティング法を用いて、堆積した層である。第１の形態において、構成要素Ｂの層は、硬質なラッカータイプのものであり、以下のものによって構成している：
すなわち、紫外線からの保護剤及び他の添加剤と混合されるバインダーであって、放射線と紫外線に対する耐久性が高いためにアクリル樹脂又はアクリルコポリマーのファミリーから選択することができ、また、耐摩耗性が高いためにポリウレタンバインダーであることができる、バインダーと、ポリカルボン酸塩タイプの分散剤と、ベンゾアートタイプの可塑剤と、グリコール又はエステルタイプの溶剤と、及び高分子が劣化することを避けるためのポリウレタンのための紫外線からの保護剤のような他の添加剤又は構成要素の触覚特性を改善させるフィール剤（ろう、パラフィンろうなど）とによって構成している。
【００５１】
第２の形態において、構成要素Ｂの層は、軟質なラッカータイプであり、紫外線からの保護剤及び他の添加剤と混合されるバインダーによって構成している。このバインダーは、シリコーン又はポリウレタンのファミリーから選ぶことができる。
【００５２】
第３の形態において、構成要素Ｂの層は、インクタイプであり、紫外線に対する高い耐性及び高い光透過性のためにアクリル樹脂のファミリーから、又は高い耐摩耗性のためにポリウレタンのファミリーから選ばれ、あるいはさらにはフレキシブルな基材のためにシリコーンインクから選ばれるバインダーと、ポリカルボン酸塩タイプの分散剤ないし解膠剤と、スルホンアミドタイプの可塑剤かつ接着促進剤と、及びグリコール又はエステルタイプの溶剤とである。
【００５３】
構成要素Ｃの層は、熱伝導度を向上させる層であり、ゾルゲル法を用いて堆積したナノダイヤモンドの薄い層、又はＰＶＤ又はＰＥＣＶＤ法を用いて堆積した、銅、金又は銀、炭素などの薄い層であることができる。
【００５４】
第２の実装例において、サーモクロミック要素１０は、図６で示されているように、環状の挿入体を形成するように層を重ねることによって作られる。これをするために、構成要素Ａ及びＢの様々な層が厚い層と呼ばれる形態となる。すなわち、これらの層は、基材上に堆積しなければならないインクやラッカーとは対照的に、自身によって支えられる。層Ｃは、厚いことができ、また、薄いことができる。
【００５５】
このことに関連して、構成要素Ａの層は、軟質又は硬質の材料の形態である。これは、オーバーモールド、接着結合、リベット結合、ねじ込み、又は他の機械化学的手段によって、他の層と結合する。これは、射出成形又はオーバーモールドによって作られる。この層は、熱可塑性物質（例、アクリロニトリル−ブタジエン−スチレン、ポリアミド又はポリメタクリル酸メチルのタイプの樹脂）、熱硬化性物質（例、アクリル樹脂、エポキシ樹脂）、又は熱可塑性エラストマー（例、ポリウレタンタイプの樹脂）であることができる。この樹脂は、あらかじめ以下の物質と混合される：
すなわち、サーモクロミックピグメントと、適合する改質された／グラフトのコポリマータイプの分散剤と、及びベンゾアート又はスルホンアミドタイプの可塑剤とである。
【００５６】
また、この層は、ニトリルブタジエン、水素添加されたニトリルブタジエン、フルオロポリマーエラストマーのタイプのエラストマー樹脂又はシリコーンのような加硫ゴムを射出オーバーモールド又は圧縮成形することによって作ることもできる。用いられる加硫プロセスは、選ばれた樹脂に適合するようにされ、また、硫黄のような付加的な元素、及びチウラム、その過酸化物と派生物質のような加硫促進剤を用い、そして随意的に、（シランタイプの）カップリング剤を用いる。
【００５７】
構成要素Ｃの層が熱伝導度が高い金属合金（例、銅合金）の形態であることを思い描くことができる。この場合、この構成要素Ｃは、他の層と結合する。また、構成要素Ｃを下側の長手方向の面上におけるプラズマ処理によって作ることを思い描くことができる。
【００５８】
この実装例の１つの利点は、温度センサーの最終形状に機械加工することができるサーモクロミック要素を得ることが可能になるということである。これらは容易に扱うことができ、付加される部分に結合することができる。
【００５９】
この実装例は、外装要素１０に形成された凹部１５に関連づけることができ、これらの凹部１５が、挿入体の形態であるサーモクロミック要素１０を収容するようにはたらくようにする。
【００６０】
第１の実装例の１つの変種において、図７に示すように、サーモクロミック要素の様々な層をキャリヤー１４上に堆積させることができる。このとき、このキャリヤー１４は、ハウジングによってはたらく外装要素の凹部内に配置される。
【００６１】
第１及び第２の実装例の１つの変種において、サーモクロミック要素がいくつかの薄い層といくつかの厚い層の混合体によって作られていることを思い描くことができる。このことに関連して、構成要素Ａと構成要素Ｃの層がいわゆる厚い層であることができる。この構成によって、構成要素Ａ及びＣの層がサーモクロミック構成要素を包囲する一種のシェルを形成することが可能になる。
【００６２】
別の例として、構成要素Ｃの層が厚い層の形態であり、この厚い層上に構成要素Ａ及び構成要素Ｂの層が配置されるものがある。これらの構成要素Ｂ及び構成要素Ａの層は、いわゆる薄い層状である。このことによって、薄い層だけで作られたサーモクロミック要素よりも扱いが容易なサーモクロミック要素を得ることが可能になる。
【００６３】
第１及び第２の実装例の１つの変種において、図８に示すように、前記少なくとも１つの中間層１６を構成要素Ａの層と構成要素Ｃの層の間に配置することができる。このような層１６を付加的効果を得るために用いることができる。１つの有利な例として、光レベルが小さいときにも読みやすくするように、発光性、リン光性又は蛍光性の層を用いるものがある。
【００６４】
もちろん、付加的効果を達成するために、他のタイプの中間層（例、金属化された層、色付けされた層、真珠層）を用いることができる。
【００６５】
このようにして、このサーモクロミック要素１０が各種アプリケーションにおいて用いられる。第１のアプリケーションは、温度スケールを見ることを可能にする温度センサー２００を用いる。このアプリケーションにおいて、温度センサー２００は、複数のサーモクロミック要素１０を有し、その各サーモクロミック要素１０は、特定の温度で反応するピグメントを含む。したがって、特定の温度に到達すると、各サーモクロミック要素１０は色を変える。
【００６６】
温度スケールを得るために、サーモクロミック要素１０の特定の温度を、ある要素から別の要素に移るにしたがって増加させたり減少させたりする。したがって、着用可能な物を着用しているユーザーが温度の変化を経験すると、この温度変化に応じてサーモクロミック要素１０が色を変えて、このことによって、解釈することが明快な視覚的なインジケーションを得ることができる。これらのサーモクロミック要素１０は、互いのすぐ隣りに配置することができ、また、間隔を離して配置することもできる。
【００６７】
好ましい変種の１つにおいて、温度スケールを構成しているすべての様々なサーモクロミック要素１０の第１の色、すなわち、休み状態のときの色、は同一である。このことは、ある基準温度では、サーモクロミック要素１０がすべて同じ色を有することを意味している。
【００６８】
別の好ましい変種において、温度スケールを構成している様々なサーモクロミック要素１０の第２の色、すなわち、それらの特定のしきい値に到達するときの色、は同一である。このことは、測定可能な最大温度において、サーモクロミック要素１０がすべて同じ色を有することを意味している。
【００６９】
別の好ましい変種において、温度スケールを構成している様々なサーモクロミック要素１０はすべて、同じ第１の色を有するが、グラデーションが形成することができるように、第２の色がすべて同じというようにはならないように作られる。より正確には、サーモクロミック要素１０は、温度スケールを形成するときに、まず色を変えるサーモクロミック要素が、最後に色を変えるサーモクロミック要素１０よりも第２の色が明るい色であるように設計されている。例えば、第１のサーモクロミック要素１０は黄色になり、最後のものは赤くなる。これによって、二重のインジケーションが可能になる：
すなわち、ユーザーは、色が変わったサーモクロミック要素１０の数が増えたことによって温度が上昇していることを知るだけではなく、要素の色が変わって暗くなることによって最高温度に近づいていることを知る。
【００７０】
したがって、ここではサーモクロミックピグメントが可逆的なタイプであることがわかるであろう。このことは、ピグメントが特定の温度のしきい値に達したり越えたりしたときに、ピグメントが第１の色から第２の色へと遷移するように色を変えることを意味している。しかし、このことは、温度が特定のしきい値よりも下に落ちたときにピグメントが第２の色から第１の色へと戻ることも意味している。
【００７１】
図９及び１０に示すように、温度センサーのサーモクロミック要素を腕時計のベゼル又は風防上に配置して、そのベゼル又は風防上にて、時円の３時の位置から時円の６時の位置までにわたって又は時円の９時の位置から時円の１２時の位置までにわたって、円弧状に延在させることができる。
【００７２】
また、図１１に示すように、温度センサーがミドル部にわたるようにしたり、図１２〜１６に示すように、温度センサーが腕時計のストラップにわたるようにすることができる。
【００７３】
図１２に示す第１のケースにおいて、ストラップ１１０は、ストラップの２つの長さ部分１１０ａによって構成しており、各長さ部分は、１対のホーン１１２に固定されており、クラスプ１１１を介して他方の長さ部分に接続される。好ましくは、ストラップの長さ１１０ａは、ゴム又はプラスチックで作られている。
【００７４】
図１３に示す第２のケースでは、ストラップは金属又はセラミックスで作られており、そして、ピンによって互いにつながっている複数のリンク１１０ｂによって構成している。このことによって、互いに対して回転することができるリンク１１０ｂを得ることができる。
【００７５】
両方の場合に、サーモクロミック要素は、スクリーン印刷されたり、又は挿入体の形態であってストラップに形成された凹部内に配置されたりすることができる。
【００７６】
図１４〜１６に示す別のケースにおいて、外装要素は、クラスプ１１１、すなわち、ストラップのデプロイメントバックルである。このようなデプロイメントバックルは、一般的には、互いに対してヒンジ付けされたエクステンダーのような３つの部分１１１ａ、１１１ｂ、１１１ｃによって構成している。これらの部分のうちの２つの部分は、１つのリンク又は１つの長さ部分に固定される。これらの部分によってデプロイメントバックル１１１が作られ、これらの部品どうしが互いに折り重なることができるようにヒンジ付けされるように設計されている。そして、これらの３つの部分１１１ａ、１１１ｂ、１１１ｃは、１つにまとまる。この構成によって、ユーザーの手首に腕時計を固定する際に、ストラップの長さを少し大きくすることができる。
【００７７】
デプロイメントバックルの特定のモデルにおいて、前記部分の１つがメイン部分１１１ａの役割を果たす。これは２つの他の部分１１１ｂ、１１１ｃを受けるのでメイン部分１１１ａである。このいわゆるメイン部分１１１ａは、外部から見える部分である。したがって、ユーザーは、外部から金属プレートの形態である部分を見ることができる。この金属プレート上には、ブランドの名称のようなインジケーションを彫ることができる。
【００７８】
本発明は、温度センサーを支えるためにこの表面を用いる。したがって、デプロイメントバックルの中心部１１１ａのこの表面上にサーモクロミック要素１が配置される。
【００７９】
なお、添付の請求の範囲によって定められる本発明の範囲から逸脱せずに、上記の本発明の様々な実施形態に対して、当業者にとって自明な様々な改変及び／又は改善及び／又は組み合わせを行うことができることを理解することができるであろう。
【図１】
0006728346.tif 000002
【図２】
0006728346.tif 000003
【図３】
0006728346.tif 000004
【図４】
0006728346.tif 000005
【図５】
0006728346.tif 000006
【図６】
0006728346.tif 000007
【図７】
0006728346.tif 000008
【図８】
0006728346.tif 000009
【図９】
0006728346.tif 000010
【図１０】
0006728346.tif 000011
【図１１】
0006728346.tif 000012
【図１２】
0006728346.tif 000013
【図１３】
0006728346.tif 000014
【図１４】
0006728346.tif 000015
【図１５】
0006728346.tif 000016
【図１６】
0006728346.tif 000017